【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
一対の電極間に発光層を含む少なくとも一層の有機層を有する有機電界発光素子であって、下記一般式（I）で表される化合物の少なくとも一種を有機層に含有することを特徴とする有機電界発光素子。
【化１】
2006261623.tif 000001
（一般式（I）中、Z1、およびZ2はそれぞれ独立に、窒素原子で白金に配位する含窒素ヘテロ環を表す。Q1、Q2はそれぞれ独立に、下記一般式（A1）、一般式（B1）、一般式（C1）、一般式（D1）、一般式（E1）、一般式（F1）、および一般式（G1）からなる群から選ばれる一般式で表される基である。Q1とQ2は互いに異なる構造を表す。L1、およびL2はそれぞれ独立に、単結合または連結基を表す。ｎは０を表す。）
【化２】
2006261623.tif 000002
（一般式（A1）中、XA11、XA12、XA13およびXA14はそれぞれ独立に、置換または無置換の炭素原子または窒素原子を表す。＊は一般式（I）中のZ1もしくはZ2と連結する部位、＊＊は白金に結合する部位を表す。）
【化３】
2006261623.tif 000003
（一般式（B1）中、XB11、XB12およびXB13はそれぞれ独立に、置換または無置換の炭素原子または窒素原子を表す。＊は一般式（I）中のZ1もしくはZ2と連結する部位、＊＊は白金に結合する部位を表す。）
【化４】
2006261623.tif 000004
（一般式（C1）中、XC11は置換または無置換の炭素原子、窒素原子、酸素原子、または硫黄原子を表す。XC12およびXC13はそれぞれ独立に、置換または無置換の炭素原子または窒素原子を表す。＊は一般式（I）中のZ1もしくはZ2と連結する部位、＊＊は白金に結合する部位を表す。）
【化５】
2006261623.tif 000005
（一般式（D1）中、XD11およびXD12はそれぞれ独立に、置換または無置換の炭素原子または窒素原子を表す。XD13は置換または無置換の炭素原子、窒素原子、酸素原子、または硫黄原子を表す。＊は一般式（I）中のZ1もしくはZ2と連結する部位、＊＊は白金に結合する部位を表す。）
【化６】
2006261623.tif 000006
（一般式（E1）中、XE11およびXE13はそれぞれ独立に、置換または無置換の炭素原子または窒素原子を表す。XE12は置換または無置換の炭素原子、窒素原子、酸素原子、または硫黄原子を表す。＊は一般式（I）中のZ1もしくはZ2と連結する部位、＊＊は白金に結合する部位を表す。）
【化７】
2006261623.tif 000007
（一般式（F1）中、XF11、XF12およびXF13はそれぞれ独立に、置換または無置換の炭素原子または窒素原子を表す。＊は一般式（I）中のZ1もしくはZ2と連結する部位、＊＊は白金に結合する部位を表す。）
【化８】
2006261623.tif 000008
（一般式（G1）中、XG11は酸素原子または硫黄原子を表す。XG12は酸素原子または硫黄原子を表す。＊は一般式（I）中のZ1もしくはZ2と連結する部位、＊＊は白金に結合する部位を表す。）
【請求項２】
前記Q1／Q２の組み合わせが、一般式（A1）／一般式（A1）、一般式（A1）／一般式（B1）、一般式（A1）／一般式（F1）、一般式（A1）／一般式（G1）、又は一般式（F1）／一般式（G1）であることを特徴とする、請求項１に記載の有機電界発光素子。
【請求項３】
一般式（I）で表される化合物が、下記一般式（II）で表される化合物であることを特徴とする、請求項１又は２に記載の有機電界発光素子。
【化９】
2006261623.tif 000009
（一般式（II）中、Q1、Q2はそれぞれ独立に、前記一般式（A1）、一般式（B1）、一般式（C1）、一般式（D1）、一般式（E1）、一般式（F1）、および一般式（G1）からなる群から選ばれる一般式で表される基である。Q1とQ2は互いに異なる構造を表す。R21、R22、R23、R24、R25およびR26はそれぞれ独立に、水素原子または置換基を表す。L1、およびL2は、それぞれ独立に、単結合または連結基を表す。ｎは０を表す。）
【請求項４】
一般式（I）で表される化合物が、下記一般式（III）で表される化合物であることを特徴とする、請求項１〜３のいずれかに記載の有機電界発光素子。
【化１０】
2006261623.tif 000010
（一般式（III）中、Q1、Q2はそれぞれ独立に、前記一般式（A1）、一般式（B1）、一般式（C1）、一般式（D1）、一般式（E1）、一般式（F1）、および一般式（G1）からなる群から選ばれる一般式で表される基である。Q1とQ2は互いに異なる構造を表す。R21、R22、R23、R24、R25、R26、R31およびR32はそれぞれ独立に、水素原子または置換基を表す。L2は単結合または連結基を表す。ｎは０を表す。）
【請求項５】
一般式（I）で表される化合物が、下記一般式（IV）で表される化合物であることを特徴とする、請求項１〜４のいずれか１項に記載の有機電界発光素子。
【化１１】
2006261623.tif 000011
（一般式（IV）中、Q4は前記一般式（A1）、一般式（B1）、一般式（C1）、一般式（D1）、一般式（E1）、一般式（F1）、および一般式（G1）からなる群から選ばれる一般式で表される基であるが、置換または無置換のフェニル基を表すことはない。R21、R22、R23、R24、R25、R26、R31、R32、R41、R42、R43、およびR44はそれぞれ独立に、水素原子または置換基を表す。）
【請求項６】
一般式（I）で表される化合物が、下記一般式（V）で表される化合物であることを特徴とする、請求項１〜５のいずれか１項に記載の有機電界発光素子。
【化１２】
2006261623.tif 000012
（一般式（V）中、Q5は前記一般式（A1）、一般式（B1）、一般式（C1）、一般式（D1）、一般式（E1）、一般式（F1）、および一般式（G1）からなる群から選ばれる一般式で表される基である、ヘテロ環基を表す。R21、R22、R23、R24、R25、R26、R31、R32、R41、R42、R43、およびR44はそれぞれ独立に、水素原子または置換基を表す。）
【請求項７】
一対の電極間に発光層を含む少なくとも一層の有機層を有する有機電界発光素子であって、下記一般式（VI）で表される化合物を有機層に含有することを特徴とする有機電界発光素子。
【化１３】
2006261623.tif 000013
（一般式（VI）中、Q6は前記一般式（A1）、一般式（B1）、一般式（C1）、一般式（D1）、一般式（E1）、一般式（F1）、および一般式（G1）からなる群から選ばれる一般式で表される基である。Y6は無置換もしくは置換基を有する炭素原子、酸素原子、無置換もしくは置換基を有する窒素原子、又は硫黄原子を表す。R21、R22、R23、R24、R25、R26、R31、R32、R41、R42、R43、およびR44はそれぞれ独立に、水素原子または置換基を表す。）
【請求項８】
一般式（I）で表される化合物が、下記一般式（VII）で表される化合物であることを特徴とする、請求項１〜７のいずれか１項に記載の有機電界発光素子。
【化１４】
2006261623.tif 000014
（一般式（VII）中、R21、R22、R23、R24、R25、R26、R31、R32、R41、R42、R43およびR44はそれぞれ独立に、水素原子または置換基を表す。XF11、XF12およびXF13はそれぞれ独立に、置換または無置換の炭素原子または窒素原子を表す。）
【請求項９】
一般式（I）で表される化合物が、下記一般式（VIII）で表される化合物であることを特徴とする、請求項１に記載の有機電界発光素子。
【化１５】
2006261623.tif 000015
（一般式（VIII）中、R21、R22、R23、R24、R25、R26、R31およびR32はそれぞれ独立に、水素原子または置換基を表す。XG11は酸素原子または硫黄原子を表す。XG12は酸素原子または硫黄原子を表す。Q1は、前記一般式（A1）、一般式（B1）、一般式（C1）、一般式（D1）、一般式（E1）、一般式（F1）、および一般式（G1）からなる群から選ばれる一般式で表される基である。）
【請求項１０】
前記一般式（I）で表される化合物の少なくとも一種が、発光層に含有されることを特徴とする、請求項１〜９のいずれか１項に記載の有機電界発光素子。
【請求項１１】
前記一般式（I）で表される化合物の少なくとも一種と、少なくとも一種のホスト材料が、発光素子に含有されることを特徴とする、請求項１〜１０のいずれか１項に記載の有機電界発光素子。
【請求項１２】
前記L１、L２が、それぞれ、下記式で表されることを特徴とする請求項１〜１１のいずれか１項に記載の有機電界発光素子。
【化１６】
2006261623.tif 000016
【請求項１３】
一般式（I）で表される化合物。
【化１７】
2006261623.tif 000017
（一般式（I）中、Z1、およびZ2はそれぞれ独立に、窒素原子で白金に配位する含窒素ヘテロ環を表す。Q1、Q2はそれぞれ独立に、下記一般式（A1）、一般式（B1）、一般式（F1）、および一般式（G1）からなる群から選ばれる基であり、Q1とQ2は互いに異なる構造を表し、Q1／Q２の組み合わせは、一般式（A1）／一般式（A1）、一般式（A1）／一般式（B1）、一般式（A1）／一般式（F1）、一般式（A1）／一般式（G1）、又は一般式（F1）／一般式（G1）である。L1、およびL2はそれぞれ独立に、単結合または連結基を表す。ｎは０を表す。）
【化１８】
2006261623.tif 000018
（一般式（A1）中、XA11、XA12、XA13およびXA14はそれぞれ独立に、置換または無置換の炭素原子または窒素原子を表す。＊は一般式（I）中のZ1もしくはZ2と連結する部位、＊＊は白金に結合する部位を表す。）
【化１９】
2006261623.tif 000019
（一般式（B1）中、XB11、XB12およびXB13はそれぞれ独立に、置換または無置換の炭素原子または窒素原子を表す。＊は一般式（I）中のZ1もしくはZ2と連結する部位、＊＊は白金に結合する部位を表す。）
【化２０】
2006261623.tif 000020
（一般式（F1）中、XF11、XF12およびXF13はそれぞれ独立に、置換または無置換の炭素原子または窒素原子を表す。＊は一般式（I）中のZ1もしくはZ2と連結する部位、＊＊は白金に結合する部位を表す。）
【化２１】
2006261623.tif 000021
（一般式（G1）中、XG11は酸素原子または硫黄原子を表す。XG12は酸素原子または硫黄原子を表す。＊は一般式（I）中のZ1もしくはZ2と連結する部位、＊＊は白金に結合する部位を表す。）
【請求項１４】
前記一般式（I）が下記一般式（V）で表される請求項１３に記載の化合物。
【化２２】
2006261623.tif 000022
（一般式（V）中、Q5は前記一般式（A1）、一般式（B1）、一般式（F1）、および一般式（G1）からなる群から選ばれる一般式で表される基である、ヘテロ環基を表す。R21、R22、R23、R24、R25、R26、R31、R32、R41、R42、R43、およびR44はそれぞれ独立に、水素原子または置換基を表す。）
【請求項１５】
前記一般式（I）が下記一般式（VII）で表される請求項１３に記載の化合物。
【化２３】
2006261623.tif 000023
（一般式（VII）中、R21、R22、R23、R24、R25、R26、R31、R32、R41、R42、R43およびR44はそれぞれ独立に、水素原子または置換基を表す。XF11、XF12およびXF13はそれぞれ独立に、置換または無置換の炭素原子または窒素原子を表す。）
【請求項１６】
前記一般式（I）が下記一般式（VIII）で表される請求項１３に記載の化合物。
【化２４】
2006261623.tif 000024
（一般式（VIII）中、R21、R22、R23、R24、R25、R26、R31およびR32はそれぞれ独立に、水素原子または置換基を表す。XG11は酸素原子または硫黄原子を表す。XG12は酸素原子または硫黄原子を表す。Q1は、前記一般式（A1）で表される基である。）
【請求項１７】
請求項１〜９のいずれかに記載の一般式（I）〜（VIII）で表される発光材料。
【請求項１８】
請求項１〜９のいずれかに記載の一般式（I）〜（VIII）で表される化合物を含有する発光層。
【請求項１９】
請求項１〜１２のいずれかに記載の有機電界発光素子を用いた表示素子。
【請求項２０】
請求項１〜１２のいずれかに記載の有機電界発光素子を用いたディスプレイ。
【請求項２１】
請求項１〜１２のいずれかに記載の有機電界発光素子を用いた照明光源。
【手続補正２】
【補正対象書類名】明細書
【補正対象項目名】０００８
【補正方法】変更
【補正の内容】
【０００８】
（一般式（I）中、Z1、およびZ2はそれぞれ独立に、窒素原子で白金に配位する含窒素ヘテロ環を表す。Q1、Q2はそれぞれ独立に、下記一般式（A1）、一般式（B1）、一般式（C1）、一般式（D1）、一般式（E1）、一般式（F1）、および一般式（G1）からなる群から選ばれる一般式で表される基である。Q1とQ2は互いに異なる構造を表す。L1、およびL2はそれぞれ独立に、単結合または連結基を表す。ｎは０を表す。）
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１６
【補正方法】変更
【補正の内容】
【００１６】
（一般式（A1）中、XA11、XA12、XA13およびXA14はそれぞれ独立に、置換または無置換の炭素原子または窒素原子を表す。＊は一般式（I）中のZ1もしくはZ2と連結する部位、＊＊は白金に結合する部位を表す。）
【手続補正１０】
【補正対象書類名】明細書
【補正対象項目名】００１８
【補正方法】変更
【補正の内容】
【００１８】
（一般式（B1）中、XB11、XB12およびXB13はそれぞれ独立に、置換または無置換の炭素原子または窒素原子を表す。＊は一般式（I）中のZ1もしくはZ2と連結する部位、＊＊は白金に結合する部位を表す。）
【手続補正１１】
【補正対象書類名】明細書
【補正対象項目名】００２０
【補正方法】変更
【補正の内容】
【００２０】
（一般式（C1）中、XC11は置換または無置換の炭素原子、窒素原子、酸素原子、または硫黄原子を表す。XC12およびXC13はそれぞれ独立に、置換または無置換の炭素原子または窒素原子を表す。＊は一般式（I）中のZ1もしくはZ2と連結する部位、＊＊は白金に結合する部位を表す。）
【手続補正１２】
【補正対象書類名】明細書
【補正対象項目名】００２２
【補正方法】変更
【補正の内容】
【００２２】
（一般式（D1）中、XD11およびXD12はそれぞれ独立に、置換または無置換の炭素原子または窒素原子を表す。XD13は置換または無置換の炭素原子、窒素原子、酸素原子、または硫黄原子を表す。＊は一般式（I）中のZ1もしくはZ2と連結する部位、＊＊は白金に結合する部位を表す。）
【手続補正１３】
【補正対象書類名】明細書
【補正対象項目名】００２４
【補正方法】変更
【補正の内容】
【００２４】
（一般式（E1）中、XE11およびXE13はそれぞれ独立に、置換または無置換の炭素原子または窒素原子を表す。XE12は置換または無置換の炭素原子、窒素原子、酸素原子、または硫黄原子を表す。＊は一般式（I）中のZ1もしくはZ2と連結する部位、＊＊は白金に結合する部位を表す。）
【手続補正１４】
【補正対象書類名】明細書
【補正対象項目名】００２６
【補正方法】変更
【補正の内容】
【００２６】
（一般式（F1）中、XF11、XF12およびXF13はそれぞれ独立に、置換または無置換の炭素原子または窒素原子を表す。＊は一般式（I）中のZ1もしくはZ2と連結する部位、＊＊は白金に結合する部位を表す。）
【手続補正１５】
【補正対象書類名】明細書
【補正対象項目名】００２８
【補正方法】変更
【補正の内容】
【００２８】
（一般式（G1）中、XG11は酸素原子または硫黄原子を表す。XG12は酸素原子または硫黄原子を表す。＊は一般式（I）中のZ1もしくはZ2と連結する部位、＊＊は白金に結合する部位を表す。）
〔２〕
前記Q1／Q２の組み合わせが、一般式（A1）／一般式（A1）、一般式（A1）／一般式（B1）、一般式（A1）／一般式（F1）、一般式（A1）／一般式（G1）、又は一般式（F1）／一般式（G1）であることを特徴とする、〔１〕に記載の有機電界発光素子。
〔３〕
一般式（I）で表される化合物が、下記一般式（II）で表される化合物であることを特徴とする、〔１〕又は〔２〕に記載の有機電界発光素子。
【化６０】
2006261623.tif 000025
（一般式（II）中、Q1、Q2はそれぞれ独立に、前記一般式（A1）、一般式（B1）、一般式（C1）、一般式（D1）、一般式（E1）、一般式（F1）、および一般式（G1）からなる群から選ばれる一般式で表される基である。Q1とQ2は互いに異なる構造を表す。R21、R22、R23、R24、R25およびR26はそれぞれ独立に、水素原子または置換基を表す。L1、およびL2は、それぞれ独立に、単結合または連結基を表す。ｎは０を表す。）
〔４〕
一般式（I）で表される化合物が、下記一般式（III）で表される化合物であることを特徴とする、〔１〕〜〔３〕のいずれかに記載の有機電界発光素子。
【化６１】
2006261623.tif 000026
（一般式（III）中、Q1、Q2はそれぞれ独立に、前記一般式（A1）、一般式（B1）、一般式（C1）、一般式（D1）、一般式（E1）、一般式（F1）、および一般式（G1）からなる群から選ばれる一般式で表される基である。Q1とQ2は互いに異なる構造を表す。R21、R22、R23、R24、R25、R26、R31およびR32はそれぞれ独立に、水素原子または置換基を表す。L2は単結合または連結基を表す。ｎは０を表す。）
【手続補正１６】
【補正対象書類名】明細書
【補正対象項目名】００３１
【補正方法】変更
【補正の内容】
【００３１】
（一般式（IV）中、Q4は前記一般式（A1）、一般式（B1）、一般式（C1）、一般式（D1）、一般式（E1）、一般式（F1）、および一般式（G1）からなる群から選ばれる一般式で表される基であるが、置換または無置換のフェニル基を表すことはない。R21、R22、R23、R24、R25、R26、R31、R32、R41、R42、R43、およびR44はそれぞれ独立に、水素原子または置換基を表す。）
【手続補正１７】
【補正対象書類名】明細書
【補正対象項目名】００３４
【補正方法】変更
【補正の内容】
【００３４】
（一般式（V）中、Q5は前記一般式（A1）、一般式（B1）、一般式（C1）、一般式（D1）、一般式（E1）、一般式（F1）、および一般式（G1）からなる群から選ばれる一般式で表される基である、ヘテロ環基を表す。R21、R22、R23、R24、R25、R26、R31、R32、R41、R42、R43、およびR44はそれぞれ独立に、水素原子または置換基を表す。）
【手続補正１８】
【補正対象書類名】明細書
【補正対象項目名】００３５
【補正方法】変更
【補正の内容】
【００３５】
〔７〕
一対の電極間に発光層を含む少なくとも一層の有機層を有する有機電界発光素子であって、下記一般式（VI）で表される化合物を有機層に含有することを特徴とする有機電界発光素子。
【手続補正１９】
【補正対象書類名】明細書
【補正対象項目名】００３７
【補正方法】変更
【補正の内容】
【００３７】
（一般式（VI）中、Q6は前記一般式（A1）、一般式（B1）、一般式（C1）、一般式（D1）、一般式（E1）、一般式（F1）、および一般式（G1）からなる群から選ばれる一般式で表される基である。Y6は無置換もしくは置換基を有する炭素原子、酸素原子、無置換もしくは置換基を有する窒素原子、又は硫黄原子を表す。R21、R22、R23、R24、R25、R26、R31、R32、R41、R42、R43、およびR44はそれぞれ独立に、水素原子または置換基を表す。）
〔８〕
一般式（I）で表される化合物が、下記一般式（VII）で表される化合物であることを特徴とする、〔１〕〜〔７〕のいずれか１項に記載の有機電界発光素子。
【手続補正２０】
【補正対象書類名】明細書
【補正対象項目名】００４１
【補正方法】変更
【補正の内容】
【００４１】
（一般式（VIII）中、R21、R22、R23、R24、R25、R26、R31およびR32はそれぞれ独立に、水素原子または置換基を表す。XG11は酸素原子または硫黄原子を表す。XG12は酸素原子または硫黄原子を表す。Q1は、前記一般式（A1）、一般式（B1）、一般式（C1）、一般式（D1）、一般式（E1）、一般式（F1）、および一般式（G1）からなる群から選ばれる一般式で表される基である。）
【手続補正２１】
【補正対象書類名】明細書
【補正対象項目名】００４３
【補正方法】変更
【補正の内容】
【００４３】
〔１１〕
前記一般式（I）〜一般式（VI）で表される化合物の少なくとも一種と、少なくとも一種のホスト材料が、発光素子に含有されることを特徴とする、〔１〕〜〔１０〕のいずれか１項に記載の有機電界発光素子。
〔１２〕
前記L１、L２が、それぞれ、下記式で表されることを特徴とする〔１〕〜〔１１〕のいずれか１項に記載の有機電界発光素子。
【化６２】
2006261623.tif 000027
〔１３〕
一般式（I）で表される化合物。
【化６３】
2006261623.tif 000028
（一般式（I）中、Z1、およびZ2はそれぞれ独立に、窒素原子で白金に配位する含窒素ヘテロ環を表す。Q1、Q2はそれぞれ独立に、下記一般式（A1）、一般式（B1）、一般式（F1）、および一般式（G1）からなる群から選ばれる基であり、Q1とQ2は互いに異なる構造を表し、Q1／Q２の組み合わせは、一般式（A1）／一般式（A1）、一般式（A1）／一般式（B1）、一般式（A1）／一般式（F1）、一般式（A1）／一般式（G1）、又は一般式（F1）／一般式（G1）である。L1、およびL2はそれぞれ独立に、単結合または連結基を表す。ｎは０を表す。）
【化６４】
2006261623.tif 000029
（一般式（A1）中、XA11、XA12、XA13およびXA14はそれぞれ独立に、置換または無置換の炭素原子または窒素原子を表す。＊は一般式（I）中のZ1もしくはZ2と連結する部位、＊＊は白金に結合する部位を表す。）
【化６５】
2006261623.tif 000030
（一般式（B1）中、XB11、XB12およびXB13はそれぞれ独立に、置換または無置換の炭素原子または窒素原子を表す。＊は一般式（I）中のZ1もしくはZ2と連結する部位、＊＊は白金に結合する部位を表す。）
【化６６】
2006261623.tif 000031
（一般式（F1）中、XF11、XF12およびXF13はそれぞれ独立に、置換または無置換の炭素原子または窒素原子を表す。＊は一般式（I）中のZ1もしくはZ2と連結する部位、＊＊は白金に結合する部位を表す。）
【化６７】
2006261623.tif 000032
（一般式（G1）中、XG11は酸素原子または硫黄原子を表す。XG12は酸素原子または硫黄原子を表す。＊は一般式（I）中のZ1もしくはZ2と連結する部位、＊＊は白金に結合する部位を表す。）
〔１４〕
前記一般式（I）が下記一般式（V）で表される〔１３〕に記載の化合物。
【化６８】
2006261623.tif 000033
（一般式（V）中、Q5は前記一般式（A1）、一般式（B1）、一般式（F1）、および一般式（G1）からなる群から選ばれる一般式で表される基である、ヘテロ環基を表す。R21、R22、R23、R24、R25、R26、R31、R32、R41、R42、R43、およびR44はそれぞれ独立に、水素原子または置換基を表す。）
〔１５〕
前記一般式（I）が下記一般式（VII）で表される〔１３〕に記載の化合物。
【化６９】
2006261623.tif 000034
（一般式（VII）中、R21、R22、R23、R24、R25、R26、R31、R32、R41、R42、R43およびR44はそれぞれ独立に、水素原子または置換基を表す。XF11、XF12およびXF13はそれぞれ独立に、置換または無置換の炭素原子または窒素原子を表す。）
〔１６〕
前記一般式（I）が下記一般式（VIII）で表される〔１３〕に記載の化合物。
【化７０】
2006261623.tif 000035
（一般式（VIII）中、R21、R22、R23、R24、R25、R26、R31およびR32はそれぞれ独立に、水素原子または置換基を表す。XG11は酸素原子または硫黄原子を表す。XG12は酸素原子または硫黄原子を表す。Q1は、前記一般式（A1）で表される基である。）
〔１７〕
〔１〕〜〔９〕のいずれかに記載の一般式（I）〜（VIII）で表される発光材料。
〔１８〕
〔１〕〜〔９〕のいずれかに記載の一般式（I）〜（VIII）で表される化合物を含有する発光層。
〔１９〕
〔１〕〜〔１２〕のいずれかに記載の有機電界発光素子を用いた表示素子。
〔２０〕
〔１〕〜〔１２〕のいずれかに記載の有機電界発光素子を用いたディスプレイ。
〔２１〕
〔１〕〜〔１２〕のいずれかに記載の有機電界発光素子を用いた照明光源。
なお、本発明は上記〔１〕〜〔２１〕に関するものであるが、その他の事項についても参考のために記載した。